(57)【要約】本発明は、第１の通信ネットワークＰＬＭＮに接続され、選択されたプロトコルに従って、第１のチャネル伝送のシグナリングデータと第２の伝送チャネル上の音声データとを同時に交換することができる端末４に、第２の構内通信ネットワークＲＰによって提供されるサービスを提供できるようにする通信サーバ２に関する。このサーバ２は、第１のネットワークＰＬＭＮに接続された端末４に、端末４が第２のチャネル上での音声リンク中に、前記第１のチャネル上でサーバ２との接続を確立することを可能にするように設計された構成データを、第１のチャネルを介し、選択された基準に従って送信するための制御手段６を含み、それによって、第２のネットワークＲＰによって提供されるサービスを音声リンク中の前記端末に提供する。
2005530407.tif 000002
【特許請求の範囲】
【請求項１】
構内の第２の通信ネットワーク（ＲＰ）によって提供されるサービスを、第１の通信ネットワーク（ＰＬＭＮ）に接続され、第１の伝送チャネル上のシグナリングデータおよび第２の伝送チャネル上の音声データを選択されたプロトコルに従って同時に交換できる端末（４）で利用できるようにする通信サーバ（２）であって、第１のネットワーク（ＰＬＭＮ）に接続された端末（４）に、前記第１のチャネル上で、選択された基準に応じて、構成データを送信して、前記端末（４）が、前記第２のチャネル上で音声接続中に、第１のチャネル上で前記サーバ（２）との接続を確立できるようにするように構成された制御手段（６）を含み、前記第２のネットワーク（ＲＰ）によって提供される前記サービスの少なくともいくつかを、前記端末が前記音声接続中に利用できるようにすることを特徴とする通信サーバ。
【請求項２】
前記制御手段（６）が、端末（４）が選択された基本識別子を使用して前記サーバ（２）との接続を確立したときに、構成データを前記端末に送信するように構成され、前記接続を確立することが前記選択された基準を構成することを特徴とする請求項１に記載のサーバ。
【請求項３】
前記制御手段（６）が、前記構成データを送信する前に識別手順を行うように構成されることを特徴とする請求項１に記載のサーバ。
【請求項４】
第２の識別子が格納されるメモリ（５）を含み、前記制御手段（６）が、前記端末（４）に一旦インストールされると前記端末のメモリに格納された少なくとも１つの第２の識別子を前記サーバ（２）に自動送信することを可能にする識別データを前記端末に送信し、次いで、受信した第２の識別子を前記メモリ（５）に格納された識別子と比較し、識別子が同一である場合には、前記構成データを前記端末（４）に送信するように構成されることを特徴とする請求項３に記載のサーバ。
【請求項５】
前記制御手段（６）が、前記構成データの後にセキュリティデータを端末（４）に送信するように構成されることを特徴とする請求項３に記載のサーバ。
【請求項６】
前記第２の識別子が前記端末（４）のユーザを表すことを特徴とする請求項３に記載のサーバ。
【請求項７】
前記構成データおよび／または前記識別データがスクリプトまたはアプレットを構成することを特徴とする請求項３に記載のサーバ。
【請求項８】
前記構成データが、端末（４）のユーザによって起動された場合に、少なくとも１つの第３の識別子を提供するよう前記ユーザに指示し、少なくとも前記第３の識別子を含む登録要求を第１のチャネル上で前記制御手段（６）に送信するように構成され、前記メモリ（５）が、少なくとも１つの第３の識別子と対応関係づけられた前記基本識別子を格納し、および前記制御手段（６）が、登録要求を受信するとすぐに、前記端末（４）に関する少なくとも１つの基本識別子の送信を求める要求を前記構成データに送信し、次いで前記基本識別子を受信すると、その基本識別子および先に受信された第３の識別子を前記メモリ（５）に格納された識別子と比較して、この比較の結果に応じて前記登録を許可または拒絶するように構成されることを特徴とする請求項１に記載のサーバ。
【請求項９】
前記構成データが、第１のネットワーク（ＰＬＭＮ）からの通話要求メッセージを前記端末（４）により受信した場合に、前記メッセージから特定の情報を抽出し、その情報を前記第１のチャネルを介して前記制御手段（６）に送信するように構成され、および前記制御手段（６）が、前記情報を受信するとすぐに、その情報をその内容に応じて処理し、次いで適用した処理および受信した情報に応じて選択されたメッセージを、前記第１のチャネル上で前記端末（４）に送信するように構成されることを特徴とする請求項１に記載のサーバ。
【請求項１０】
前記構成データが、端末（４）が登録された後で前記端末によりリモート端末への通話を試みた場合に、第１のネットワーク（ＰＬＭＮ）へのアクセスを禁止し、少なくともそのリモート端末の基本識別子を含む情報を前記第１のチャネル上で前記制御手段（６）に送信するように構成され、および前記制御手段（６）が、前記情報を受信するとすぐに、その情報をその内容に応じて処理し、次いで適用した処理および受信した情報に応じて選択された、少なくとも１つの通話の許可または禁止と前記端末（４）の画面上に表示される情報とを含むメッセージを前記第１のチャネル上で前記端末（４）に送信するように構成され、その結果、前記メッセージを受信すると、前記構成データが、第１のネットワーク（ＰＬＭＮ）へのアクセスの禁止を解除して通話を確立するか、または通話を禁止することを特徴とする請求項１に記載のサーバ。
【請求項１１】
前記制御手段（６）が、前記端末（４）を登録した後で、前記端末（４）から受信した情報を処理するように構成された請求項８に関連した請求項９に記載のサーバ。
【請求項１２】
構内の第２の通信ネットワーク（ＲＰ）によって提供されるサービスを、第１の通信ネットワーク（ＰＬＭＮ）に接続され、第１の伝送チャネル上のシグナリングデータおよび第２の伝送チャネル上の音声データを、通信サーバ（２）を介し、選択されたプロトコルに従って同時に交換できる端末（４）で利用できるようにする方法であって、サーバ（２）が、第１のネットワーク（ＰＬＭＮ）に接続された端末（４）に、第２のチャネル上で音声接続中に第１のチャネル上で前記サーバ（２）との接続を確立することをその端末に可能にする構成データを、第１のチャネル上で、選択された基準に応じて送信して、前記第２のネットワーク（ＲＰ）によって提供される前記サービスの少なくともいくつかを、前記端末（４）が前記音声接続中に使用できるようにすることを特徴とする方法。
【請求項１３】
選択された基本識別子を使用して端末がサーバ（２）との接続を確立したときに前記構成データが端末（４）に送信され、このリンクを確立することが前記選択された基準を構成することを特徴とする請求項１２に記載の方法。
【請求項１４】
構成データを送信する前に識別手順が実施されることを特徴とする請求項１２に記載の方法。
【請求項１５】
第２の識別子がサーバ（２）のメモリ（５）に格納され、および端末（４）にインストールされたときに、前記端末（４）のメモリ（８）中に格納された少なくとも１つの第２の識別子を前記サーバ（２）に自動送信できるように構成された識別データが端末（４）に送信され、その後で、第２の識別子が受信されるとすぐに、その識別子がサーバ（２）のメモリ（５）に格納された識別子と比較され、それらの識別子が同一の場合には前記構成データが前記端末（４）に送信されることを特徴とする請求項１４に記載の方法。
【請求項１６】
前記構成データを送信した後で、セキュリティデータが端末（４）に送信されることを特徴とする請求項１４に記載の方法。
【請求項１７】
前記第２の識別子が前記端末（４）のユーザを表すことを特徴とする請求項１４に記載の方法。
【請求項１８】
前記構成データおよび／または前記識別データがスクリプトまたはアプレットを構成することを特徴とする請求項１４に記載の方法。
【請求項１９】
前記構成データが、端末（４）のユーザによって起動された場合に、前記ユーザに少なくとも１つの第３の識別子を提供するよう指示し、少なくとも前記第３の識別子を含む登録要求を第１のチャネル上で前記サーバ（２）に送信するように構成され、前記基本識別子が、少なくとも１つの第３の識別子に対応関係づけられてサーバ（２）の前記メモリ（５）に格納され、および登録要求を受信すると、前記端末（４）に関する少なくとも１つの基本識別子の送信を求める要求が前記構成データに送信され、その後で、前記基本識別子を受信すると、サーバ（２）で、その基本識別子および先に受信済みの第３の識別子がサーバのメモリ（５）に格納された識別子と比較され、この比較の結果に応じて前記登録を許可または拒絶することを特徴とする請求項１２に記載の方法。
【請求項２０】
前記構成データが、第１のネットワーク（ＰＬＭＮ）からの通話要求メッセージを前記端末（４）により受信した場合に、このメッセージから特定の情報を抽出し、それを第１のチャネルを介してサーバ（２）に送信するように構成され、および前記情報が受信されると、受信された情報がその内容に応じて処理され、その後で、適用された処理および受信された情報に応じて選択されたメッセージが前記第１のチャネル上で端末（４）に送信されることを特徴とする請求項１２に記載の方法。
【請求項２１】
前記端末（４）によりリモート端末への通話を試みた場合に、前記構成データが、第１のネットワーク（ＰＬＭＮ）へのアクセスを禁止し、少なくともリモート端末の第２の識別子を含む情報を前記第１のチャネル上でサーバに送信するように構成され、および前記情報が受信されると、その情報がその内容に応じて処理され、その後で、前記適用された処理および前記受信された情報に応じて選択され、少なくとも１つの通話許可または通話禁止と前記端末（４）の画面上に表示される情報とを含むメッセージが前記第１のチャネル上で前記端末（４）に送信され、その結果、前記メッセージを受信すると、前記構成データが、第１のネットワーク（ＰＬＭＮ）へのアクセス禁止を解除して通話を確立するか、または前記通話を禁止することを特徴とする請求項１２に記載の方法。
【請求項２２】
前記端末（４）から受信した情報が、端末で登録操作を実施した後で処理されることを特徴とする請求項１９に関連した請求項２０に記載の方法。
【請求項２３】
請求項１から１１のいずれか一項に記載の通信サーバ（２）を介して少なくとも１つの第２の構内通信ネットワーク（ＲＰ）に接続された少なくとも１つの第１の公衆通信ネットワーク（ＰＬＭＮ）を含むことを特徴とする通信設備。
【請求項２４】
ＰＳＴＮ、ＰＬＭＮ、およびインターネット（ＩＰ）ネットワークを含むグループから選択された公衆の第１の通信ネットワーク、およびＰＡＢＸおよび構内通信ゲートウェイを含むグループから選択された第２の構内ネットワークにおいて請求項１から２３のいずれか一項に記載の方法、装置、および設備の使用。
【請求項２５】
公衆の第１の通信ネットワークが、ＧＳＭ、ＧＰＲＳ、およびＵＭＴＳネットワークを含むグループから選択される移動体ネットワークであることを特徴とする請求項２４に記載の使用。
【請求項２６】
第１のネットワーク（ＰＬＭＮ）とサーバ（２）との間の接続がＷＡＰを使用することを特徴とする請求項２４に記載の使用。
【請求項２７】
第１のネットワーク（ＰＬＭＮ）とサーバ（２）との間の接続がＳＩＰを使用することを特徴とする請求項２４に記載の使用。
【発明の詳細な説明】
【技術分野】
【０００１】
本発明の分野は、ネットワーク中の端末間の通信に関する分野であり、特に、構内ネットワークによって提供されるサービスを公衆通信ネットワークに接続された端末に提供することに関する。
【背景技術】
【０００２】
例えば自動式構内交換設備（ＰＡＢＸ）など、多くの構内通信ネットワークが、そのネットワークに接続された通信端末にサービスを提供している。特に、これらのサービスには、通話転送、ディレクトリまたはデータベースへのアクセス、メッセージの格納、電話会議、音声または文書メモなどが含まれる。これらのサービスは、端末が直接それら自身の構内ネットワークに接続されているときにはもちろん、端末からアクセス可能である。しかし、端末が構内ネットワークから離れている場合には、構内ネットワークがゲートウェイなどの通信サーバを介して公衆ネットワークに接続され、しかも特定の取り決めに従う場合にのみ、端末は構内ネットワークのサービスのいくつかにアクセスすることができる。
【発明の開示】
【発明が解決しようとする課題】
【０００３】
ある特定の手順では、端末のキーパッドの特定のキーに特定のサービスに対応する機能を割り当てている。これらのキーの１つを押すと、音声データの交換専用の公衆ネットワーク伝送チャネル上で、事前にプログラムされたデュアルトーンマルチ周波数シ（ＤＴＭＦ）データシーケンスがゲートウェイに送信される。したがって、すでに他の端末への音声接続を確立しているときに、ユーザがあるサービスへのアクセスを希望した場合には、そのユーザは、まず最初に一時的にその接続を中断し、次いでサーバへの接続を確立してサーバがそのサービスをユーザに使用可能にし、最後に他の端末へ元の接続を再確立しなければならない。さらに他のユーザとの音声接続中には、これは、通話中に発生し得る特定のイベント、例えばより高い優先度の着信通話、通話中に表示する必要があるテキストメッセージ、または電話会議への参加要求などに適合するサービスをユーザに動的に提供することができない。さらに、端末のユーザは事前にプログラムされた機能に関連するサービスだけを使用することができる。したがって、この手順は「静的」であり、リアルタイム処理の要件には適合しない。
【０００４】
第２の手順は、欧州特許出願第１１０７５２３号に記載されたように、まず、シグナリング専用の公衆ネットワーク伝送チャネル上でそれ自体の構内ネットワークのサービスにアクセスを希望する端末と、その構内ネットワークに接続されたゲートウェイの間の接続を確立し、次いでそのユーザにいくつかのサービスを提供するワードマークアップ言語（ＷＭＬ）のページをゲートウェイを介して発呼端末に送信する。ユーザが選択を行ったときに、ユーザの端末はゲートウェイにＷＭＬコマンドを送信し、特定のデータ交換プロトコルのフォーマット変換処理に続き、端末は選択されたサービスにアクセスすることができる。ユーザは既定のサービスリストから選択を行う必要があるので、他のユーザとの音声接続中に、ユーザに、その通話中に発生し得る特定のイベントに適合したサービスを動的に提供することは不可能である。したがって、この手順もまた「静的」であり、リアルタイム処理の要求には適さない。
【０００５】
したがって、本発明の目的は、上記の問題のいくつかまたはすべてを改善することである。
【課題を解決するための手段】
【０００６】
この目的のために、本発明は１つまたは複数の第１の（公衆および／または構内）通信ネットワークと、多様なサービスを端末に提供するように構成された第２の構内通信ネットワークの間に設置される通信サーバを提案し、このサーバは、第１のネットワークの１つに接続され、第１の伝送チャネルのシグナリングデータと第２の伝送チャネルの音声データとを同時に交換するように構成された、例えば携帯電話などの通信端末と、リンクを、選択されたプロトコル（例えば、ワイアレスアプリケーションプロトコル（ＷＡＰ））に従って確立するように構成される。
【０００７】
サーバは、例えば、アクセスゲートウェイであり、第１のネットワークに接続された端末に、第１のチャネルで、選択された基準に応じて、（例えばスクリプトまたはアプレットを構成する）構成データを送信して、その端末が第１のチャネルでサーバとの接続を確立できるようにし、その端末がすでに第２のチャネル上で音声接続を確立しているときには、それが接続されている第２のネットワークによって提供されるサービスのうちの少なくともいくつかを、音声接続中にその端末のユーザが使用できるようにすることができる制御手段を含むことを特徴とする。
【０００８】
したがって本発明は、ＧＰＲＳやＵＭＴＳネットワークなど、特定の通信ネットワークのアーキテクチャの利点を十分に提供し、この通信ネットワークでは、シグナリングデータと、コンテンツデータ又は「メディア」データ、具体的には音声データとに異なる伝送チャネルを使用している。
【０００９】
端末が、専用の電話番号のような選択された基本識別子を使用して、すでにサーバとの接続を確立しているときには、好ましくは、制御手段は構成データを端末に送信するように構成される。この場合、あらかじめこの接続を確立することが選択された基準になる。
【００１０】
制御手段は、好ましくは前記構成データを送信する前に識別手順を実施するように構成される。この場合サーバは、端末のＳＩＭカードに格納された、例えばインターナショナルモビルステーションアイデンティティ（ＩＭＳＩ）などの第２の識別子を格納するためのメモリを含み、制御手段は端末に識別データを送信するように構成され、この識別データは、一旦、端末にインストールされると、少なくとも端末に格納された第２の識別子をサーバに自動的に送信し、次いで、受信した第２の識別子とメモリに格納された識別子とを比較し、識別子が同一の場合は、端末に適切な構成データを送信する。制御手段は、構成データを送信した後で、端末にセキュリティデータを送信することもできる。
【００１１】
好ましくは構成データは、ユーザによって起動されたとき、ユーザに、例えばユーザのパスワードまたはユーザネームなどの少なくとも１つの第３の識別子を入力するよう指示して、ユーザによって提供された少なくとも１つの第３の識別子（および、適用可能な場合にはセキュリティデータ）を含む、その端末を登録するための要求を、やはり第１のチャネルで制御手段に送信するように構成することができる。この場合、有利には少なくとも１つの第３の識別子（および、適用可能な場合にはセキュリティデータ）と対応関係づけて基本識別子をサーバのメモリに格納し、その結果、登録の要求を受信すると、制御手段はまず最初に、端末にインストールされた構成データに、少なくともその端末に関連する基本識別子の送信を求める要求を送信し、次いで受信した基本識別子および第３の識別子をメモリに格納された識別子と比較して、比較結果に応じて登録を許可または拒絶することができる。
【００１２】
好ましくは構成データは、メッセージから特定の情報を抽出して、その情報を第１のチャネルを介して制御手段に送信し、このことを端末が第１のネットワークから通話要求メッセージを受信するとすぐに、好ましくは端末が登録されたときに実施するように構成することができる。この場合、抽出された情報を受信すると、制御手段は、その内容に応じてその情報を処理し、次いで適用された処理および受信した情報に応じて選択された、適用可能な場合には端末の画面に表示される情報を含むメッセージを、やはり第１のチャネルで、端末に送信する。
【００１３】
同様に、好ましくは端末の登録の後で、構成データは、ユーザがリモート端末に通話を試みるとすぐに、第１のネットワークへのアクセスを禁止し、次いでリモート端末の基本識別子（または電話番号）を少なくとも含む情報を、やはり第１のチャネルで制御手段に送信するように構成することができる。この場合、抽出された情報を受信すると、制御手段は、その情報をその内容に応じて処理し、次いで適用された処理および受信した情報に応じて選択された、少なくとも１つの通話の実施の許可または禁止と適用可能な場合には端末の画面上に表示される情報とを含むメッセージを、やはり第１のチャネルで端末に送信することができ、その結果、このメッセージを受信すると、構成データは、第１のネットワークへのアクセス禁止を解除してその通話を確立するか、またはその通話を禁止する。
【００１４】
本発明はまた、第１の通信ネットワークに接続され、第１の伝送チャネルのシグナリングデータと第２の伝送チャネルの音声データとを同時に交換できる端末が、第２の構内通信ネットワークによって提供されるサービスを、通信サーバを介し、選択されたプロトコルに従って利用できるようにする方法も提供する。
【００１５】
この方法では、サーバが、第１のネットワークに接続された端末に、第２のチャネルで音声接続中に第１のチャネルでサーバとの接続を確立するための（例えば、スクリプトまたはアプレットを構成する）構成データを、第１のチャネル上で、選択された基準に応じて送信して、端末が接続された第２のネットワークによって提供されるサービスのうちの少なくともいくつかを、端末が音声接続中に利用できるようにする。
【００１６】
本発明の方法は、単独でかつ／または組み合わせて実装される多数の補足的な機能を有することができ、特に、
−  選択された基本識別子を使用して端末がサーバとの接続を確立した後で、構成データが端末に送信されることができる。この場合、この接続を確立することが選択された基準を構成する。
【００１７】
−  構成データを送信する前に識別手続きが実施されることができる。この場合、好ましくは、端末に識別データを送信することによって開始できるように、第２の識別子をあらかじめサーバのメモリ中に格納し、識別データは、端末にインストールされると、端末に格納された少なくとも１つの第２の識別子を自動的にサーバに送信し、その後、この第２の識別子がメモリに格納された識別子と比較され、識別子が同一である場合には、適切な構成データが端末に送信される。
【００１８】
−  サーバは、端末に構成データを送信した後で、その端末にセキュリティデータを送信することもできる。
【００１９】
−  構成データは、ユーザが端末を起動したときに、ユーザに少なくとも１つの第３の識別子を提供するよう指示し、少なくともその第３の識別子を含む登録要求を第１のチャネルでサーバに送信するように構成することができる。この場合、好ましくは少なくとも１つの第３の識別子と対応関係づけて基本識別子をサーバのメモリ中に格納しておく。したがって、登録要求を受信すると、サーバは、構成データにその端末に関連する少なくとも基本識別子の送信を求める要求を送り、その後、受信した基本識別子および第３の識別子とメモリに格納された識別子とがサーバで比較され、比較の結果に応じて登録を許可または拒絶する。
【００２０】
−  構成データは、第１のネットワークから通話要求メッセージを受信した場合には、好ましくは端末が登録された後で、そのメッセージから特定の情報を抽出し、その情報を第１のチャネルでサーバに送信するように構成することができる。したがって、情報が受信されると、その情報は内容に応じて処理され、次いで適用された処理および受信した情報に応じて選択されたメッセージが、適用可能な場合には端末の画面上に表示される情報とともに第１のチャネルで端末に送信される。
【００２１】
−  構成データは、端末がリモート端末に通話を試みた場合には、好ましくは端末が登録された後で、第１のネットワークへのアクセスを禁止し、第１のチャネルで少なくともリモート端末の第２の識別子を含む情報をサーバに送信するように構成することができる。したがって、その情報が受信されると、その情報はその内容に応じて処理され、その後で、適用された処理および受信した情報に応じて選択された、少なくとも１つの通話の許可または拒絶と、適用可能な場合には前記端末の画面上に表示される情報とを含むメッセージが第１のチャネルで端末に送信され、したがって、このメッセージを受信すると、構成データは、第１のネットワークへのアクセス禁止を解除してその通話を確立するか、またはその通話を禁止する。
【００２２】
本発明はまた、上記のタイプの通信サーバを介して少なくとも１つの第２の構内通信ネットワークに接続された少なくとも１つの第１の通信ネットワークを含む通信ネットワークも提供する。
【００２３】
本発明は、ＰＳＴＮ、ＰＬＭＮおよびインターネットプロトコル（ＩＰ）ネットワークから選択された公衆通信ネットワーク、特にＧＳＭ、ＧＰＲＳ、およびＵＭＴＳネットワークから選択される公衆移動通信ネットワーク、ならびに固定アクセスおよびＷＬＡＮ、Ｂｌｕｅｔｏｏｔｈ、ＵＭＴＳネットワークなどの無線ネットワークを使用するように構成されたＰＡＢＸおよびレジデンシャルゲートウェイから選択される構内ネットワークに実装できる。さらに本発明は特に、ＸＭＬ、ＷＭＬ、ＨＴＭＬ、ＷＴＡＩフォーマットまたは専有のフォーマットなどの様々なフォーマットでＷＡＰまたはＳＩＰを使用する第１のネットワークとサーバとの間の接続に特に適用される。
【００２４】
本発明の他の特徴および利点は、以下の詳細な説明を添付の図面と併せて読むことによって明らかになるはずである。
【００２５】
添付の図面は、本発明の説明の一部を構成するものであり、必要な場合には、本発明の定義の一部を担うものである。
【発明を実施するための最良の形態】
【００２６】
図１の設備は、第１の携帯電話キャリアに属し、サービスサーバ１に接続された公衆通信ネットワークである第１の公衆ネットワーク（ＰＬＭＮ）と、第２の電話キャリアに属し、主ネットワークＰＬＭＮおよびサービスサーバ１に接続された公衆通信ネットワークである第２の公衆ネットワーク（ＰＳＴＮ）と、インターネットタイプの公衆ネットワークであり、同様に主ネットワークＰＬＭＮおよびサービスサーバ１に接続された第３の公衆ネットワークと、ゲートウェイ２によってサービスサーバ１に接続された構内ネットワークＲＰとを含む。
【００２７】
この例では、第１および第２の公衆ネットワークはそれぞれ、例えばＧＳＭネットワークなどの公衆陸上移動通信網（ＰＬＭＮ）、および公衆交換電話網（ＰＳＴＮ）である。構内ネットワークは、例えば自動式構内交換設備（ＰＡＢＸ）であり、（ＤＥＣＴ標準に従う場合には）無線タイプもあり得る。しかし、本発明はこれらのネットワークの形式に限定されるものではなく、もちろんこの選択されたネットワークの数に限定されるものでもない。本発明を実装するためには、この設備は、ユーザに特定のサービスを提供する少なくとも１つの構内ネットワークと、ＧＳＭ（ＧＰＲＳ）ネットワークでは無線基地局（ＢＴＳ）として知られ、ＵＭＴＳネットワークではノードＢとして知られる基地局３を多数含む少なくとも１つの公衆通信ネットワークとを含む必要があり、これらとともに、通信端末４は、第１の伝送チャネル上のシグナリングデータと第２の伝送チャネル上の音声データとを、選択されたプロトコルに従って同時に交換することができる。
【００２８】
通信端末４は例えば、固定型もしくは携帯型の電話、固定型もしくは可搬型の（マイクロ）コンピュータ、または携帯情報端末（ＰＤＡ）であり、これらの端末には、例えば電話番号、アドレス、各端末間の接続を確立するための他の一意の識別子などの基本識別子が付随している。端末４は、例えば企業の従業員など、構内ネットワークＲＰのユーザの所有物である。したがって、各端末４の基本識別子は構内ネットワークＲＰに知られている。詳細には、ゲートウェイ２は第１のメモリ５を含み、このメモリには構内ネットワークＲＰによって提供されるサービスの使用を許可されたユーザ端末の基本識別子が格納される。
【００２９】
以下では例として、ＰＬＭＮはＧＰＲＳネットワークであり、選択された交換プロトコルは無線アプリケーションプロトコル（ＷＡＰ）である。しかし、例えばＵＭＴＳネットワークなど他の形式の公衆ネットワークももちろん想定することができ、例えばＳＩＰなど他の形式のプロトコルを想定することもできる。また端末４は、例えば携帯電話である。
【００３０】
ネットワークおよびプロトコルは当業者には非常に良く知られており、本明細書では詳細には説明しない。しかし、以下の説明の理解を容易にするために、図２にＷＡＰ携帯電話４の主要機能モジュール間の接続を示す。
【００３１】
略語ＭＭＩは、「マンマシンインターフェース」を表す。
【００３２】
略語ＷＡＥ−ＵＡは、「無線アプリケーション環境−ユーザエージェント」を表す。ユーザエージェントとは、ＷＭＬまたはＷＭＬスクリプトのような、リソースを解釈するための回路またはソフトウェアのことである。これは、テキストもしくは音声のブラウザ、またはサーチエンジンを含むことができる。
【００３３】
略語ＷＴＡ−ＵＡは、「無線電話アプリケーション−ユーザエージェント」を表す。このユーザエージェントは、ＷＴＡサービスをサポートするアーキテクチャのコンポーネントと対話する、電話機４とネットワークのサービスとのインターフェースをとることができる、ＷＡＥ−ＵＡの拡張である。
【００３４】
略語ＷＴＡＩは、「無線電話アプリケーションインターフェース（ＷＴＡインターフェース）」を表す。
【００３５】
略語ＰＷＴＡＩは、「公衆無線電話アプリケーションインターフェース」を表す。
【００３６】
略語ＲＥＰは、レポジトリ（アーカイバルストレージ）を表す。この（不揮発性）メモリは、特に伝送チャネルで収集されたリソース（ＵＲＬによって識別可能なデータ、ネットワークオブジェクト、またはサービス）を含む。
【００３７】
略語ＤＳＦは「装置固有の特徴」を表し、電話機４の特徴を意味する。
【００３８】
略語ＮＬは「ネットワーク層」を表す。
【００３９】
略語ＷＡＥ−ＵＡ、ＷＴＡ−ＵＡ、ＰＷＴＡ、ＷＴＡＩ、ＲＥＰ、ＤＳＦ、およびＮＬによって示されるユニットまたはモジュールは、端末４の通信管理手段を構成する。
【００４０】
特に、ＷＴＡ−ＵＡはメモリＲＥＰからデータを抽出することができ、ＷＴＡＩは、ＷＴＡ−ＵＡが（例えば、通話の確立など）移動体ネットワークの機能と対話することを可能にし、また（例えば、アドレス帳の使用など）携帯電話４に固有の機能と対話することも可能にする。ＷＴＡ−ＵＡはまた、ネットワークからそのコンテンツに関連するイベントを受信し、動的な電話アプリケーションを可能にすることもできる。ネットワークから受信するこれらのイベントは、ＷＴＡ−ＵＡ内で機能するサービスによって行われた動作の結果である。携帯電話４の外部で開始された電話イベントもまたＷＴＡ−ＵＡに送信される。特に、このイベントは、他のユーザエージェントに向けられていないネットワークから来たテキストメッセージ（例えば、ＳＩＭカードに関連するイベントなど）に適用される。
【００４１】
ＷＥＡ−ＵＡは、サーバ１などの外部ＷＡＰサーバからのみ情報を抽出し、ＷＴＡＩ公衆ライブラリ（例えば、通話設定機能など）によって提供される機能にだけアクセスすることができる。
【００４２】
上記ユニットおよびモジュールの詳細な特性は、「ｗｗｗ．ｗａｐｆｏｒｕｍ．ｏｒｇ」に記載されている。
【００４３】
本発明の目的は、各携帯電話４が、例えばＰＬＭＮなどの公衆ネットワークの１つに接続されているときに、それら自身の構内ネットワークＲＰによって提供されるサービスに動的にアクセスできるようにすることである。
【００４４】
この目的のために、構内ネットワークＲＰのゲートウェイ２は、第２のメモリ７に接続された制御モジュール６を含み、この第２のメモリは、好ましくはＷＴＡ形式スクリプト（またはアプレット）の形式の構成データを記憶する。一旦メモリにインストールされると、ＷＴＡスクリプトは、第１の伝送チャネル（またはシグナリングチャネル）を介してゲートウェイ２とシグナリングデータを交換することを可能にするように携帯電話４を制御する役割を担う。
【００４５】
制御モジュール６は第１のメモリ５にも結合されており、このメモリは、構内ネットワークＲＰのサービスへのアクセスを許可された携帯電話の基本識別子と、関連する第２の識別子（下記参照）との間の対応関係を示すテーブルを格納する。制御モジュール６は、電子回路、ソフトウェア（もしくはデータ処理）モジュール、または回路とソフトウェアの組合せなどの形を取ることができる。
【００４６】
上記のように、ゲートウェイ２は様々なネットワークとの接続を確立するように構成され、特に信号チャネル上でデータを交換するように構成される。さらにゲートウェイ２は、他のサーバまたは携帯電話４がそのゲートウェイとの接続を確立することを可能にするユニフォームリソースロケータ（ＵＲＬ）などの基本識別子（またはアドレス）と関連づけられている。
【００４７】
本発明によれば、構内ネットワークＲＰに接続された携帯電話４のユーザがそのネットワークによって提供されるサービスを初めて利用しようとする場合、そのユーザは自らの電話機４にゲートウェイ２のＵＲＬを入力してゲートウェイとの接続を確立する。一旦接続が確立されると、ゲートウェイ２の制御モジュール６は、信号チャネルを介して携帯電話４に、その端末に事前に格納されているかまたは送信される実行すべきシナリオの指示、好ましくは電話機４から１つまたは２つの第２の識別子を自動的に抽出する第１のＷＴＡスクリプト（または構成データ）を送信する。この第１のＷＴＡスクリプトは、ＷＴＡ−ＵＡによって制御される端末のメモリ領域に格納される。
【００４８】
最初の好ましい第２の識別子は、ＳＩＭカード８に格納されたユーザ識別（ＩＭＳＩ）番号であり、２番目の好ましい第２の識別子は、端末に格納されたその電話の国際携帯電話機識別（ＩＭＥＩ）番号である。
【００４９】
第２の識別子が抽出された後で、ＷＴＡ−ＵＡはこの情報のすべてまたは一部を信号チャネルを介してゲートウェイ２に送信する。この第２の識別子を受信するとすぐに、制御モジュール６はそれらの識別子を第１のメモリ５の対応するテーブルに格納された識別子と比較する。その電話機４の基本識別子との対応関係で格納された識別子と一致した場合には、制御モジュールは第２のメモリ７から、あらかじめ端末に格納してあった第２のＷＴＡスクリプトまたは第２のスクリプト識別子を抽出し、それを信号チャネルを介して電話機４のＷＴＡ−ＵＡに送信する。第２のＷＴＡスクリプトが送信された場合には、次いでそのスクリプトは、通信管理手段９のＲＥＰ（レポジトリ）メモリに格納される。
【００５０】
次に制御モジュール６は、好ましくは、計算された認証キーなどのセキュリティ情報を信号チャネルを介して電話機４のＷＴＡ−ＵＡに送信する。ゲートウェイ２の制御モジュール６はその後、ＧＰＲＳ伝送チャネル上にアクティブな交換がない場合でも、この情報を使用して接続の状態を決定する。
【００５１】
ＷＴＡスクリプトおよびセキュリティ情報が装備されると、次いで電話機４はそれ自体のネットワークＲＰによって提供されるサービスにゲートウェイ２を介して自動的にアクセスする位置にある。このアクセスは自動的に行うことができるが、セキュリティの理由で、ユーザにサービスを利用しようとするたびに制御モジュール６への登録を要求することもできる。
【００５２】
そのために、ユーザはまず格納されたＷＴＡスクリプトをアクティブにする必要がある。次にスクリプトは、好ましくは、例えばパスワードおよび／またはユーザネームなどの第３の識別子を提示するよう指示し、次いでその第３の識別子を信号チャネルを介して制御モジュール６に送信する。この場合、第３の識別子はまた、基本識別子および第２の識別子との対応関係で第１のメモリ５のテーブルに格納される。次に、このスクリプトは、信号チャネルを介してゲートウェイ２との接続を確立して、そのゲートウェイに第２および第３の識別子、および適用可能な場合にはセキュリティ情報を送信する（セキュリティ情報は、ゲートウェイ２と電話機４の間の交換の結果として、電話機とゲートウェイで同時に変化している可能性がある）。
【００５３】
第２および第３の識別子を受信するとすぐに、制御モジュール６はそれらが電話機４の基本識別子に対応関係づけられた、第１のメモリ５に格納された識別子に対応していることを検証する。対応している場合には、登録手続きが完了し、電話機４はいつでも構内ネットワークＲＰによって提供されるサービスを使用することができる。言い換えると、電話機４にインストールされたスクリプトは、そのとき以降、この電話機が音声データ交換専用の伝送チャネル上で音声接続を確立している場合でも、信号チャネル上でゲートウェイ２との接続を確立することができる。スクリプトがゲートウェイ２との接続を確立するたびに、ゲートウェイ２は、音声チャネルでの通話の前および通話中に電話機４の画面上に表示されるメニューおよび情報を監視し、例えばメッセージの格納、ディレクトリへのアクセス、音声または文書メモへのアクセス、電話会議、通話の選別、通話転送、ブロードキャスト通話など、状況に適切なサービスをユーザに提供することができる。
【００５４】
電話機が「ハンズフリー」システムおよび／または音声処理に依存しない操作アシスタントを備えている場合には、なおいっそう便利である。
【００５５】
ユーザがサービスにアクセスする必要がなくなったときには、ユーザはスクリプトを非アクティブにするだけでよく、それによってスクリプトは、電話機４の登録のキャンセルを要求するメッセージを制御モジュール６に送信する。
【００５６】
一旦端末が登録されると、ＷＴＡスクリプトはいつでも動作できる。特に、このスクリプトは、例えば手動でまたは（受話器を持ち上げることなく）音声制御でリモート端末（またはサーバ）との接続を確立するユーザの動作に続いて動作することができる。このスクリプトはまた、例えば着信通話、電話会議の要求、ショートメッセージサービス（ＳＭＳ）テキストメッセージの到着など、携帯端末４が接続されたＰＬＭＮの動作の後で動作することもできる。このスクリプトはまた、例えば情報の表示、位置情報の要求、ＳＭＳミニメッセージの送信、またはイベント再呼出しなどについてのゲートウェイ２の動作の後で動作することもできる。このスクリプトは、例えばパラメータの要求、試験の実施、または時間遅延の適用など自発的に動作することもできる。
【００５７】
ＷＴＡスクリプトの介在に関する２つの例を以下でより詳細に説明する。これらの例では、端末４は事前にゲートウェイ２に登録されており、端末に含まれるＷＴＡスクリプトはすでに起動済みであるとする。しかし、上記のようにこの登録手順は必須ではない。
【００５８】
第１の例は、ＷＴＡスクリプトを備えた携帯端末４からの発信通話に関する。ユーザはまず、自分の端末４に、通話（または接続またはセッション）を確立したいリモート端末の基本識別子を入力する。この入力は、音声制御、アドレス帳からの名前の選択、またはキーパッド（またはＭＭＩ）から番号を入力することによって行うことができる。基本識別子はＷＴＡ−ＵＡに、したがってＷＴＡスクリプトに届き、ＷＴＡスクリプトはＰＬＭＮへのアクセスを禁止し、次いでシグナリングチャネルを介してゲートウェイ２の制御モジュールに、ユーザが通話を希望するリモート端末を指示する基本識別子を少なくとも含む情報メッセージを送信する。このメッセージにはまた、構内ネットワークＲＰを経由して通話を確立する要求を含めることができ、それによって例えば特別料金を得たり、会社名の提示などビジネスに特有の情報を伝えたりすることもできる。
【００５９】
情報メッセージを受信するとすぐに、制御モジュール６はそのメッセージが含むデータを処理することができる。特に制御モジュールは、被呼側が構内ネットワーク上にある（この場合、通話は内部通話になる）のか、またはない（この場合、通話は外部通話になる）のかを判断することができる。制御モジュールは、例えば被呼端末の種類によって要求された通話を許可するか禁止するかを決定することもできる。制御モジュールはまた、例えば発呼端末４に呼出し音を送信し被呼端末を呼び出し、続いて２つの端末間の接続を確立するなど、通話が構内ネットワークＲＰで処理されるために必要な操作を実施することもできる。制御モジュールはまた、例えば被呼者番号、通話開始時間、通話継続時間などの情報を通話ログに記録することもできる。
【００６０】
処理が終了すると、制御モジュール６は適用した処理および受信した情報に応じた、少なくともその通話の許可または禁止を含む、携帯端末４へのメッセージを生成する。このメッセージは信号チャネル上で送信され、発呼端末４および／または被呼端末の画面上に表示される情報、例えば被呼側の番号や被呼端末の状態（通話可能か通話中か）などを含むこともできる。このメッセージを受信したとき、通話がゲートウェイ２を介して行われていない場合には、ＷＴＡ−ＵＡはそのメッセージをＷＴＡスクリプトに通信し、ＷＴＡスクリプトは、メモリＲＥＰを参照しかつ／または使用した後で、通話を確立するためにＰＬＭＮへのアクセス禁止を解除するか、あるいはその通話を禁止し、また、必要に応じて、端末４の画面上に情報を表示するための手続きを開始する。
【００６１】
第２の例は、ＷＴＡスクリプトを備えた携帯端末４へのＰＬＭＮ経由の着信通話に関する。ＷＴＡ−ＵＡが通話要求メッセージを受信するとすぐに、ＷＴＡ−ＵＡはそのメッセージをＷＴＡスクリプトに渡し、ＷＴＡスクリプトは、例えば呼出し側の端末の基本識別子などの情報をそのメッセージから抽出して、その情報を第１のチャネルを介してメッセージの形で制御モジュール６に送信する。抽出された情報を受信するとすぐに、制御モジュール６はそれを処理することができる。特に、このモジュールは、呼出し側が構内ネットワークＲＰ上にある（この場合、通話は内部通話になる）のか、またはない（この場合、通話は外部通話になる）のかを決定することができる。このモジュールは、例えばフィルタリングを適用して、要求された通話を許可するか、あるいは禁止するかを決定することもできる。このモジュールはまた、例えば被呼者番号、通話開始時間、通話継続時間などの情報を通話ログに記録することもできる。
【００６２】
処理が終了したとき、制御モジュール６は適用した処理および受信した情報に応じた、そして必要な場合には被呼端末４の画面上に表示される情報を含んだ、携帯端末４へのメッセージを生成し、この情報には、例えば発呼側の番号および／または名前、発呼者が構内ネットワーク上にいるかどうかについての表示、または付随する着信音の特性などが含まれる。このメッセージを受信するとすぐに、ＷＴＡ−ＵＡはそれをＷＴＡスクリプトに伝え、ＷＴＡスクリプトは、メモリＲＥＰを参照しかつ／または使用した後で、通話を確立または禁止し。そして必要に応じて、端末４の画面上に情報を表示するための手順を開始する。
【００６３】
本発明によると、ＷＴＡスクリプトがシグナリングチャネルを介してゲートウェイ２とデータ交換を行い、ユーザが音声チャネルを介して同時にリモート端末と対話を行うことができるので、他の機能を動的に実装することも可能になる。したがって、制御モジュール６はいつでもユーザに、通話の間に起こり得るイベントに適合する動作またはメニューを、ＷＴＡスクリプトの中間段を介してユーザ端末４の画面上に提供することができる。限定されない例として、特により高い優先度の着信通話、通話中に表示しなければならないテキストメッセージ、電話会議への参加要求、構内データベースへのアクセス、構内ネットワークのディレクトリへのアクセス、着信通話の転送、メッセージの格納、音声または文書メモなどへのアクセスを端末４に提供することができる。
【００６４】
したがって本発明は、現在の状況に応じて、特に通話の前および通話中にユーザ端末の画面上に表示される情報を制御することによって、ユーザに動的に提供される機能に適合する。
【００６５】
本発明はまた、構内な第２の通信ネットワークＲＰによって、通信サーバ２を介し、選択されたプロトコルに従って提供されるサービスを、第１の通信ネットワーク（ＰＬＭＮ）に接続され、シグナリングチャネルおよび音声チャネル上で、シグナリングデータおよび音声データをそれぞれ同時に交換することができる端末４が使用できるようにする方法も提供する。
【００６６】
この方法は、上記の装置を使用して実装することができる。この方法の諸ステップの主要およびオプションの機能およびサブ機能は、この設備を構成する様々な手段の各機能と実質的に同一であり、本発明の方法の主機能を実装する諸ステップだけを以下に要約する。
【００６７】
この方法は、第１のネットワークＰＬＭＮに接続された端末４へ、第２のチャネル上で音声接続をしながら第１のチャネル上でサーバ２との接続を確立するための（例えば、スクリプトまたはアプレットを構成する）構成データを、サーバ２に、第１のチャネル上で、選択された基準に応じて送信させて、音声接続をしながら端末４で、サーバが接続された第２のネットワークＲＰによって提供されるサービスのうちの少なくともいくつかを使用できるようにするものである。
【００６８】
構成データは、選択された基本識別子を使用して端末４がサーバ２との接続を確立した後にその端末に送信することができる。
【００６９】
構成データを送信する前に識別手順を実行することができる。
【００７０】
構内ネットワークＲＰのサービスを端末４で使用できるようにする前に、第１のシグナリングチャネルを介してその端末をサーバ２に登録する手続きを提供することができる。
【００７１】
本発明は、例示としての上記の方法、サーバ、および設備からなる実施形態だけに限定されるものではなく、当業者が構想し得る、別添の特許請求の範囲に含まれるあらゆる変形形態を含む。
【００７２】
したがって、上では第１のネットワークとサーバとの間の接続の間のＷＡＰ交換について述べたが、本発明はＳＩＰにも、より一般的には、公衆ネットワークと構内ネットワークのノードとの間の交換にも同様に適用される。同様に、伝送に関しても、ＷＬＡＮ無線ネットワークまたはブルートゥース（Ｂｌｕｅｔｏｏｔｈ）ネットワークを使用することができる。
【図面の簡単な説明】
【００７３】
【図１】本発明の設備の一例を概略的に示す図である。
【図２】図１の設備の通信端末における主要機能モジュール間の接続を示すブロック図である。
【図１】
2005530407.tif 000003
【図２】
2005530407.tif 000004
【国際調査報告】
2005530407.tif 000005
2005530407.tif 000006
2005530407.tif 000007
2005530407.tif 000008